(57)【要約】【課題】カードの挿入不足を解消し、かつ、カードの破損又は脱落を防止する。【解決手段】カード３０を挿入可能な電子機器１であって、カード３０の一部が挿入されるスロット部１５と、電子機器１の筐体４０と一体成型された規制部１０とを備え、規制部１０は、スロット部１５にカード３０が挿入された場合に、カード３０の挿入された第一端部とカード３０の中央に対して反対側の第二端部に当接する位置に設けられる。【選択図】図４
2014239354.tif 000002
【特許請求の範囲】
【請求項１】
カードを挿入可能な電子機器であって、
前記カードの一部が挿入されるスロット部と、
前記電子機器の筐体と一体成型された規制部とを備え、
前記規制部は、
前記スロット部に前記カードが挿入された場合に、前記カードの挿入された第一端部と前記カードの中央に対して反対側の第二端部に当接する位置に設けられる
電子機器。
【請求項２】
前記規制部は、Ｕ字形状であり、
前記Ｕ字形状の端部が前記電子機器の筐体と接続しており、
前記Ｕ字形状の底部が、前記スロット部に前記カードが挿入された場合に前記第二端部に当接する位置に設けられる
請求項１に記載の電子機器。
【請求項３】
前記電子機器は、さらに、
前記電子機器の筐体と一体成型され、前記スロット部の開口縁部の一部から、前記カードの挿入方向と反対方向に立ち上がるリブ部を備える
請求項１又は２に記載の電子機器。
【請求項４】
前記電子機器部は、さらに、
前記電子機器の筐体と一体成型され、前記筐体から遠い前記リブ部の端部を含む一部から、前記カードの挿入方向と反対方向に立ち上がるフランジ部を備え、
前記フランジ部の厚さが、前記リブ部の厚さより小さい
請求項３に記載の電子機器。
【請求項５】
前記フランジ部は、前記リブ部の前記スロット部に近い方の面の延長面と離間しており、
前記フランジ部は、
前記フランジ部の一部から前記延長面まで突出する突出部を有する
請求項４に記載の電子機器。
【請求項６】
前記規制部は、
前記スロット部に前記カードが挿入された場合に前記第二端部に当接する面の一部に傾斜部を有する
請求項１〜５のいずれか１項に記載の電子機器。
【請求項７】
前記電子機器は、さらに、
孔を有し、前記電子機器の筐体と一体成型され、前記カードの挿入方向と反対方向に、前記スロット部の開口縁部の一部から立ち上がる遮蔽部を備える
請求項１に記載の電子機器。
【請求項８】
前記カードは、Ｂ−ＣＡＳ（BS Conditional Access Systems）カードである
請求項１〜７のいずれか１項に記載の電子機器。
【請求項９】
前記電子機器は、映像表示装置である
請求項１〜８のいずれか１項に記載の電子機器。
【発明の詳細な説明】
【技術分野】
【０００１】
本発明は、カードを挿入可能な電子機器に関する。
【背景技術】
【０００２】
特定の映像受信装置のみが映像コンテンツを再生することができるようにするためにＢ−ＣＡＳ（BS Conditional Access Systems）カードが用いられている。Ｂ−ＣＡＳカードは、映像コンテンツの提供者と契約をしたユーザだけが入手することができる。映像受信装置は、Ｂ−ＣＡＳカードを挿入するためのカードスロットを備え、映像コンテンツの提供者に対応するＢ−ＣＡＳが挿入されているときに、当該映像コンテンツを再生することができる。このようにして、映像コンテンツの提供者と契約をしたユーザだけが、映像受信装置により当該映像コンテンツを再生させ、視聴することができる。
【０００３】
Ｂ−ＣＡＳカードは、カードスロットに挿入された状態において、その一部が映像受信装置の外部に露出している。そこで、Ｂ−ＣＡＳカードが盗難されることを防止するためのカードホルダを備える電子機器が開示されている（例えば、特許文献１）。
【先行技術文献】
【特許文献】
【０００４】
【特許文献１】特開２００５−１９８０４４号公報
【発明の概要】
【発明が解決しようとする課題】
【０００５】
Ｂ−ＣＡＳカードは、カードスロットに挿入された状態において、その一部が映像受信装置の外部に露出している。そのため、ユーザが、Ｂ−ＣＡＳカードをカードスロットに挿入したと認識したとしても、実際にはＢ−ＣＡＳがカードスロットの奥まで挿入されておらず、映像受信装置が正常にＢ−ＣＡＳカードを認識できない場合があるという問題がある。また、映像受信装置の外部に露出したＢ−ＣＡＳカードの一部に何らかの衝撃が加わった場合に、Ｂ−ＣＡＳカードが破損又は脱落するという問題がある。
【０００６】
そこで、本発明は、カードの挿入不足を解消し、かつ、カードの破損又は脱落を防止する電子機器を提供することを目的とする。
【課題を解決するための手段】
【０００７】
上記目的を達成するために、本発明の一態様に係る電子機器は、カードを挿入可能な電子機器であって、前記カードの一部が挿入されるスロット部と、前記電子機器の筐体と一体成型された規制部とを備え、前記規制部は、前記スロット部に前記カードが挿入された場合に、前記カードの挿入された第一端部と前記カードの中央に対して反対側の第二端部に当接する位置に設けられる電子機器である。
【０００８】
これによれば、カードをカードスロットの奥まで挿入したときには、挿入されていない方のカードの端部が規制部に当接する。つまり、挿入されていない方のカードの端部が規制部に当接する位置まで到達していないときには、ユーザは、カードが未だカードスロットの奥まで挿入されておらず、さらに奥へ挿入しなければならないことを認識することができる。そして、ユーザは、挿入されていない方のカードの端部が規制部に当接する位置までカードを挿入したときに、カードがカードスロットの奥まで挿入されたことを認識することができる。以上のように、電子機器は、カードの挿入不足を解消することができる。
【０００９】
また、カードスロットからカードの一部が装置の外部に露出する場合、露出した当該一部に何らかの衝撃が加わった場合に、カードが破損又は脱落する。本発明に係る電子機器によれば、カードがカードスロットの奥まで挿入された状態では、カードの輪郭に覆うように、規制部が存在する。この状態でカードに衝撃が加わった場合、規制部にも同様の衝撃が加わるが、規制部は、電子機器の筐体と一体成型されているので、衝撃に強く、破損しにくい。つまり、カードは、規制部により衝撃から守られ、衝撃が加わっても破損又は脱落することが少なくなる。以上のように、電子機器は、カードの破損又は脱落を防止することができる。
【００１０】
例えば、前記規制部は、Ｕ字形状であり、前記Ｕ字形状の端部が前記電子機器の筐体と接続しており、前記Ｕ字形状の底部が、前記スロット部に前記カードが挿入された場合に前記第二端部に当接する位置に設けられるとしてもよい。
【００１１】
これによれば、カードをカードスロットの奥まで挿入したときに、カードは、Ｕ字形状の規制部の底部に当接する。Ｕ字形状の２つの端部が電子機器の筐体に接続しているので、電子機器は、より強い衝撃に対しても、カードの破損又は脱落を防止することができる。
【００１２】
例えば、前記電子機器は、さらに、前記電子機器の筐体と一体成型され、前記スロット部の開口縁部の一部から、前記カードの挿入方向と反対方向に立ち上がるリブ部を備えるとしてもよい。
【００１３】
これによれば、カードに外力が加わった場合にカードがしなるのを抑制することができる。また、加わっていた外力が開放されたときに発生する振動を抑制することができる。よって、電子機器は、カードの破損又は脱落を防止することができる。
【００１４】
例えば、前記電子機器部は、さらに、前記電子機器の筐体と一体成型され、前記筐体から遠い前記リブ部の端部を含む一部から、前記カードの挿入方向と反対方向に立ち上がるフランジ部を備え、前記フランジ部の厚さが、前記リブ部の厚さより小さいとしてもよい。さらに、前記フランジ部は、前記リブ部の前記スロット部に近い方の面の延長面と離間しており、前記フランジ部は、前記フランジ部の一部から前記延長面まで突出する突出部を有するとしてもよい。
【００１５】
これによれば、筐体に対してリブ部よりもさらに立ち上がるフランジ部、及び、フランジ部から突出する突出部により、カードに外力が加わった場合にカードがしなるのを抑制することができる。また、加わっていた外力が開放されたときに発生する振動を抑制することができる。よって、電子機器は、カードの破損又は脱落を防止することができる。
【００１６】
例えば、前記規制部は、前記スロット部に前記カードが挿入された場合に前記第二端部に当接する面の一部に傾斜部を有するとしてもよい。
【００１７】
これによれば、ユーザは、電子機器にスムーズにカードを挿入することができる。
【００１８】
例えば、前記電子機器は、さらに、孔を有し、前記電子機器の筐体と一体成型され、前記カードの挿入方向と反対方向に、前記スロット部の開口縁部の一部から立ち上がる遮蔽部を備えるとしてもよい。
【００１９】
これによれば、電子機器は、ユーザにカードを視認されにくくすることができる。
【００２０】
例えば、前記カードは、Ｂ−ＣＡＳ（BS Conditional Access Systems）カードであるとしてもよい。
【００２１】
これによれば、電子機器は、Ｂ−ＣＡＳカードの破損又は脱落を防止することができる。
【００２２】
例えば、前記電子機器は、映像表示装置であるとしてもよい。
【００２３】
これによれば、映像表示装置は、上記と同様の効果を奏する。
【発明の効果】
【００２４】
本発明によると、カードの挿入不足を解消し、かつ、カードの破損又は脱落を防止することができる。
【図面の簡単な説明】
【００２５】
【図１】図１は、実施の形態１に係る電子機器の背面の外観を示す図である。
【図２】図２は、実施の形態１に係る電子機器の背面の一部の拡大図である。
【図３】図３は、実施の形態１に係る電子機器の要部斜視図である。
【図４】図４は、実施の形態１に係る電子機器の要部断面図である。
【図５】図５は、実施の形態１に係る電子機器におけるカードの挿抜方法の説明図である。
【図６】図６は、実施の形態２に係る電子機器の要部斜視図及び要部断面図である。
【図７】図７は、実施の形態３に係る電子機器の要部斜視図及び要部断面図である。
【図８】図８は、実施の形態４に係る電子機器の要部斜視図及び要部断面図である。
【図９】図９は、実施の形態５に係る電子機器の要部斜視図及び要部断面図である。
【発明を実施するための形態】
【００２６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２７】
（実施の形態１）
図１は、本実施の形態に係る電子機器１の背面の外観を示す図である。図２は、本実施の形態に係る電子機器の背面の一部の拡大図である。
【００２８】
図１及び図２に示されるように、本実施の形態に係る電子機器１は、スロット部１５と、規制部１０とを備える。なお、本実施の形態に係る電子機器１は、例えば、映像コンテンツを受信して表示する映像表示装置（例えば、テレビ（テレビジョン受像装置））、若しくは、映像コンテンツを受信してテレビ等に当該映像コンテンツを表示させる表示制御装置（ＳＴＢ（Set Top Box））、又は、これら映像表示装置若しくは表示制御装置に搭載されるカード読取装置などである。
【００２９】
スロット部１５は、電子機器１が受信した映像コンテンツを表示させるときに必要となるカード３０を挿入するためのカードスロットである。スロット部１５には、カード３０が挿入される。カード３０がスロット部１５に奥まで挿入された状態では、カード３０のすべての部分がスロット部１５に納められるのではなく、カード３０の一部の部分が電子機器１の外部に露出する。カード３０は、外力が加わった場合にしなる材質でできている。なお、カード３０は、映像コンテンツの視聴の際に使われるカードであって、電子機器１との間で電気的又は磁気的に情報をやりとりするカードであればなんでもよい。カード３０と電子機器１とのやりとりは、物理的な接点を介して行う通信であってもよいし、電磁波を介して行う通信であってもよい。カード３０は、具体的には、映像コンテンツの視聴の制限を行うＢ−ＣＡＳ（BS Conditional Access Systems）カード、若しくはＣ−ＣＡＳカード（Cable Conditional Access Systems）、クレジットカード、非接触型ＩＣカード、又は、磁気カードなどである。以下では、カード３０は、物理的な接点を介して電子機器１と通信を行うＢ−ＣＡＳカードである場合について説明する。
【００３０】
規制部１０は、スロット部１５に挿入されたカード３０の挿入不足を解消し、かつ、カードの破損又は脱落を防止する。以降で、さらに詳しく説明する。
【００３１】
図３は、本実施の形態に係る電子機器１の要部斜視図である。図３の（ａ）は、カード３０が挿入されていない状態の規制部１０を示す図である。また、図３の（ｂ）は、カード３０が挿入された状態の規制部１０を示す図である。図４は、本実施の形態に係る電子機器１の要部断面図である。図４は、図３の（ｂ）のＣ−Ｃ断面の断面図である。なお、説明において、「上」とは＋Ｚ方向を意味し、「下」とは−Ｚ方向を意味する。
【００３２】
スロット部１５は、電子機器１の筐体４０の一部に設けられる。スロット部１５は、壁部１５Ａと、突き当たり部１５Ｂと、端子部１５Ｃとを有する。
【００３３】
壁部１５Ａは、カード３０がスロット部１５の奥まで挿入されるように導くためのガイドである。また、スロット部１５に挿入されたカード３０を保持する役割もある。
【００３４】
突き当たり部１５Ｂは、筐体４０に対してスロット部１５の最も深い箇所（奥）であり、スロット部１５に挿入されたカード３０の端部３２が、これより深い箇所へ侵入するのを防ぐ。つまり、カード３０は、電子機器１の外部から挿入され、端部３２がスロット部１５の突き当たり部１５Ｂに当たる位置まで挿入される。
【００３５】
端子部１５Ｃは、カード３０との通信を行う接点である。端子部１５Ｃは、カード３０がスロット部１５の奥まで挿入された場合に、カード３０の端子部３１（カード３０が有する接点）と接触する位置に設けられる。また、端子部１５Ｃは、端子部３１の形状と対応する形状であり、電子機器１は端子部１５Ｃ及び端子部３１を介してカード３０との通信を行う。図４は、端子部１５Ｃが壁部１５Ｂの一部に設けられる場合を図示したものであるが、端子部１５Ｃの位置はこれに限られない。例えば、カード３０の接点がカード３０の端部３２に設けられる場合には、端子部１５Ｃは、突き当たり部１５Ｂの一部に設けられる。また、端子部１５Ｃの形状は、カード３０の接点の形状に対応して、矩形状、長尺状又はループ状などであってよい。端子部１５Ｃは、電子機器１とカード３０との通信が電磁波を介して行う通信である場合には、電磁波を送受信するアンテナに相当する。
【００３６】
規制部１０は、電子機器１の筐体と一体成型されたものである。また、規制部１０は、スロット部１５にカード３０が挿入された場合に、カード３０の挿入された第一端部とカード３０の中央に対して反対側の第二端部に当接する位置に設けられる。規制部１０は、Ｕ字形状であり、Ｕ字形状の端部が電子機器１の筐体と接続しており、Ｕ字形状の底部が、スロット部１５にカード３０が挿入された場合に第二端部に当接する位置に設けられるとしてもよい。
【００３７】
具体的には、図４に示されるように、カード３０がスロット部１５の奥まで挿入された場合、つまり、スロット部１５に挿入されたカード３０の端部３２が突き当たり部１５Ｂに当たるところまでカード３０が挿入された場合に、スロット部１５から露出しているカード３０の端部３３が当たる位置に規制部１０が設けられる。特に、このとき、規制部１０のＵ字形状の底部である規制面１１が、カードの端部３３に当接するように規制部１０が設けられる。また、規制部１０は、カード３０がスムーズに挿入されるように、一部に傾斜がついていてもよい。規制部１０の材質は、例えば、ＰＳ（Ｐｏｌｙ  Ｓｔｙｒｅｎｅ）材である。
【００３８】
なお、図４において、カード３０と壁部１５Ａとが離間して描かれているが、実際にはこれらは接して配置されてもよいし、一部が接し、他の一部が離間していてもよい。
【００３９】
図５は、実施の形態１に係る電子機器１の要部断面図である。図５を参照しながら、電子機器１でのカードの挿入方法及び抜去方法について説明する。
【００４０】
図５の（ａ）は、電子機器１でのカード３０の挿入方法の説明図である。ユーザは、まず、カード３０の端部をスロット部１５の開口部に挿入する。次に、ユーザがカード３０を−Ｘ方向へ挿入していくと、挿入するにつれて、カード３０は、規制部１０の上部とスロット部１５の壁部とにより押さえつけられることで、しなりながらスロット部１５の奥へ向かって（−Ｘ方向に）進む。スロット部１５に挿入されたカードの端部（図４における端部３２）がスロット部１５の突き当たり部１５Ｂに当たる位置まで挿入されたら、挿入されていないカードの端部３３が規制部１０に当接する状態（図４に示される状態）になり、カード３０のしなりが解消される。このようにして、電子機器１にカード３０が挿入される。
【００４１】
図５の（ｂ）は、電子機器１でのカード３０の抜去方法の説明図である。カード３０が挿入された状態（図４に示される状態）において、ユーザが指でカード３０のスロット部１５に挿入されていない部分を−Ｚ方向に押し下げるとともに、カード３０を＋Ｘ方向へ引くようにすると、カード３０がしなり、端部３３が規制部１０の下部に接する状態（図５の（ｂ）に示される状態）になる。この状態から、さらに、ユーザがカード３０を引き抜くことができる。このようにして、電子機器１からカード３０が抜去される。
【００４２】
以上のように、本実施の形態に係る電子機器によれば、以下のようにカードの挿入不足を解消し、かつ、カードの破損脱落を防止することができる。
【００４３】
カードが挿入された状態においてもカードの一部が装置の外部に露出するタイプのカードスロットにユーザがカードを挿入する場合、ユーザは、挿入された状態のカードを見ても、カードの端部がカードスロットの奥に当たっているのか、又は当たっていないのかを一目で認識することが難しい。そのため、ユーザがカードをカードスロットの奥まで挿入したと認識したとしても、実際にはカードがカードスロットの奥まで挿入されていない場合がある。本実施の形態に係る電子機器によれば、カードをカードスロットの奥まで挿入したときには、挿入されていない方のカードの端部が規制部に当接する。つまり、挿入されていない方のカードの端部が規制部に当接する位置まで到達していないときには、ユーザは、カードが未だカードスロットの奥まで挿入されておらず、さらに奥へ挿入しなければならないことを認識することができる。そして、ユーザは、挿入されていない方のカードの端部が規制部に当接する位置までカードを挿入したときに、カードがカードスロットの奥まで挿入されたことを認識することができる。以上のように、電子機器は、カードの挿入不足を解消することができる。
【００４４】
また、カードスロットからカードの一部が装置の外部に露出する場合、露出した当該一部に何らかの衝撃が加わった場合に、カードが破損又は脱落する。本発明に係る電子機器によれば、カードがカードスロットの奥まで挿入された状態では、カードの輪郭に覆うように、規制部が存在する。この状態でカードに衝撃が加わった場合、規制部にも同様の衝撃が加わるが、規制部は、電子機器の筐体と一体成型されているので、衝撃に強く、破損しにくい。つまり、カードは、規制部により衝撃から守られ、衝撃が加わっても破損又は脱落することが少なくなる。以上のように、電子機器は、カードの破損又は脱落を防止することができる。
【００４５】
（実施の形態２）
本実施の形態において、スロット部に一部が挿入されたカードのふらつきを抑制する電子機器について説明する。なお、本実施形態に係る電子機器は、新たにリブ部１２を備える点が実施の形態１の電子機器と異なる。リブ部１２について以下で詳細に説明する。
【００４６】
図６は、本実施の形態に係る電子機器の要部斜視図及び要部断面図である。図６に示されるように、本実施の形態に係る電子機器は、リブ部１２を備える。
【００４７】
リブ部１２は、電子機器１の筐体と一体成型され、スロット部１５の開口縁部の一部から、カード３０の挿入方向と反対方向（＋Ｘ方向）に立ち上がる。リブ部１２は、スロット部１５に挿入されたカード３０に沿うように配置される。なお、リブ部１２の立ち上がり方向の長さは、筐体４０から規制面１１までの長さの１／３程度、又は、１／２程度とする。また、リブ部１２はＺ方向の厚さが比較的薄い板状である。
【００４８】
カード３０のスロット部１５に挿入されていない部分は、外力が加わった場合に、外力に抗しきれずにしなることがある。また、加わっていた外力が開放されると、しなりが解消した後に振動することがある。リブ部１２は、上記のような外力が加わった場合にカード３０がしなるのを抑制する効果がある。また、加わっていた外力が開放されたときに発生する振動を抑制する効果がある。
【００４９】
なお、本実施の形態における電子機器１でのカードの挿入方法及び抜去方法は、実施の形態１と同様であるので記載を省略する。
【００５０】
（実施の形態３）
本実施の形態において、スロット部に一部が挿入されたカードのふらつきを抑制する電子機器について説明する。なお、本実施形態に係る電子機器は、新たにフランジ部１４を備える点が実施の形態２の電子機器と異なる。フランジ部１４について以下で詳細に説明する。
【００５１】
図７は、本実施の形態に係る電子機器の要部斜視図及び要部断面図である。図７に示されるように、本実施の形態に係る電子機器は、リブ部１２に接続されたフランジ部１４を備える。
【００５２】
フランジ部１４は、電子機器１の筐体と一体成型され、筐体から遠いリブ部１２の端部を含む一部から、カード３０の挿入方向と反対方向（＋Ｘ方向）に立ち上がる。また、フランジ部１４の厚さは、リブ部１２の厚さより小さい。フランジ部１４は、スロット部１５に挿入されたカード３０に沿うように配置される。なお、フランジ部１４は、厚さ方向（Ｘ方向）においてリブ部１２のどの位置から立ち上がっていてもよい。なお、フランジ部１４の立ち上がり方向の長さは、リブ部１２の立ち上がり方向の長さと同程度とする。
【００５３】
フランジ部１４は、リブ部１２と同様に、カード３０に外力が加わった場合にカード３０がしなるのを抑制する効果がある。しかも、フランジ部１４は、筐体４０に対してリブ部１２よりさらに突出しているので、上記の抑制効果が大きい。また、フランジ部１４の厚さは、リブ部１２の厚さより小さいので、ユーザがカード３０を抜去することを意図してカード３０に力を加えた場合には、フランジ部１４がしなるので、実施の形態１の場合と同様にカード３０が抜去される。つまり、フランジ部１４は、カード３０が抜去されるのを妨げることはない。
【００５４】
なお、本実施の形態における電子機器１でのカードの挿入方法及び抜去方法は、実施の形態１と同様であるので記載を省略する。
【００５５】
（実施の形態４）
本実施の形態において、スロット部に一部が挿入されたカードのふらつきを抑制する電子機器について説明する。なお、本実施形態に係る電子機器は、新たに突出部１７を備える点が実施の形態３の電子機器と異なる。突出部１７について以下で詳細に説明する。
【００５６】
図８は、本実施の形態に係る電子機器の要部斜視図及び要部断面図である。図８に示されるように、本実施の形態に係る電子機器は、フランジ部１６から突出する突出部１７を備える。
【００５７】
本実施の形態のフランジ部１６は、リブ部１２のスロット部１５に近い方の面の延長面と離間している。
【００５８】
突出部１７は、フランジ部１６の一部から延長面まで突出する。突出部１７は、その先端がスロット部１５に挿入されたカード３０に当接するように配置される。
【００５９】
突出部１７は、リブ部１２又はフランジ部１６と同様に、カード３０に外力が加わった場合にカード３０がしなるのを抑制する効果がある。また、突出部１７は、筐体４０に対してリブ部１２より遠い位置でカード３０と当接しているので、上記の抑制効果が大きい。
【００６０】
なお、本実施の形態における電子機器１でのカードの挿入方法及び抜去方法は、実施の形態１と同様であるので記載を省略する。
【００６１】
（実施の形態５）
本実施の形態において、スロット部に一部が挿入されたカードのふらつきを抑制すると同時に、カードの盗難防止効果が高い電子機器について説明する。なお、本実施形態に係る電子機器は、遮蔽部１８を備える点が実施の形態１の電子機器と異なる。遮蔽部１８について以下で詳細に説明する。
【００６２】
図９は、本実施の形態に係る電子機器の要部斜視図及び要部断面図である。図９に示されるように、本実施の形態に係る電子機器は、遮蔽部１８を備える。
【００６３】
遮蔽部１８は、孔１９を有し、電子機器の筐体と一体成型され、カード３０の挿入方向と反対方向（＋Ｘ方向）に、スロット部１５の開口縁部の一部から立ち上がる。遮蔽部１８の立ち上がり方向の長さは、筐体４０から規制面１１までの長さと同一とすることで、筐体４０から規制面１１まで到達する。なお、遮蔽部１８の立ち上がり方向の長さは、筐体４０から規制面１１までの長さの１／３程度、又は、１／２程度としてもよい。また、遮蔽部１８は、実施の形態２においてリブ部１２が接続するスロット部１５の開口縁部と同一の部分としてもよいし、当該一部と異なる当該開口縁部の一部としてもよい。また、孔１９は、ユーザの指先と同程度の大きさを有するとする。また、孔１９の径は、筐体４０から規制面１１までの長さの１／３程度としてもよい。また、孔１９は、遮蔽部１８上のどこにあってもよい。図９に示されるように、遮蔽部１８の中央付近に孔１９があると、後述するカードの抜去方法において、ユーザがカード３０を容易に引き抜くことができるという利点がある。
【００６４】
実施の形態１においてスロット部１５に一部が挿入されたカードは、挿入されていない部分があり、当該部分は、容易にユーザに視認される。そのため、悪意のユーザにカードを盗難されるおそれがある。そこで、スロット部１５に挿入されたカード３０が、ユーザに通常視認される側に遮蔽部１８を設けるようにすれば、ユーザにカード３０を視認されにくくすることができる。特に、遮蔽部１８を、筐体４０から規制面１１まで到達するように配置すれば、ユーザがカード３０を視認するのを抑制する効果が高い。よって、悪意のユーザにカードを盗難されるのを防止する効果が高い。
【００６５】
本実施の形態における電子機器１でのカードの挿入方法は、実施の形態１におけるものと同様である。ただし、遮蔽部１８を筐体４０から規制面１１まで到達するように配置する場合には、規制面１１が存在していない側からカード３０を挿入するようにする。言い換えれば、実施の形態１（図５の（ａ））においては、カード３０を規制部１０の上部に接触させながら挿入するようにしたが、本実施の形態では、カード３０を規制部１０の下部に接触させながら挿入するようにする。このようにして、電子機器１にカード３０が挿入される。
【００６６】
本実施の形態における電子機器１でのカードの抜去方法について説明する。
【００６７】
ユーザは、遮蔽部１８の孔１９に指先を入れ、カード３０を−Ｚ方向に押し下げるとともに、カード３０を＋Ｘ方向へ引くようにすると、カード３０がしなり、端部３３が規制部１０から離れた状態になる。この状態から、さらに、ユーザがカード３０を引き抜くことができる。このようにして、電子機器１からカード３０が抜去される。
【００６８】
以上、本発明の電子機器について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００６９】
本発明は、カードを挿入可能な電子機器に利用可能である。具体的には、Ｂ−ＣＡＳカードを挿入可能な映像表示装置に利用可能である。その他、電子的又は磁気的に読み取り可能なカードを挿入可能な電子機器に使用可能である。
【符号の説明】
【００７０】
１    電子機器
１０    規制部
１１    規制面
１２    リブ部
１４、１６    フランジ部
１５    スロット部
１５Ａ    壁部
１５Ｂ    突き当たり部
１５Ｃ、３１    端子部
１７    突出部
１８    遮蔽部
１９    孔
３０    カード
３２、３３    端部
４０    筐体
【図１】
2014239354.tif 000003
【図２】
2014239354.tif 000004
【図３】
2014239354.tif 000005
【図４】
2014239354.tif 000006
【図５】
2014239354.tif 000007
【図６】
2014239354.tif 000008
【図７】
2014239354.tif 000009
【図８】
2014239354.tif 000010
【図９】
2014239354.tif 000011